(57)【要約】【課題】メンテナンス性を向上させることができる食器洗浄機を提供する。【解決手段】クリーンテーブル７６におけるテーブル部７９の周縁には、上方へ突出したカマチ８０が設けられている。このカマチ８０は、洗浄機本体２２の凹部７１に嵌合したときに、上面部８２が下部レール部６２の上面と面一となるようになっている。これにより、右扉３２を右方向へスライドさせると、下部レール部６２の上面と摺接しつつスライド移動し、そのまま連設されたカマチ８０の上面部８２上を摺動することで右扉３２はスライド自在に支持されるようになっている。【選択図】図１
2009153745.tif 000002
【特許請求の範囲】
【請求項１】
食器を収納したラックを搬入する搬入口と、搬入されたラックを洗浄する洗浄室と、洗浄後のラックを搬出する搬出口と、
前記搬入口又は搬出口に隣接して配置され、ラックを搬入又は搬出するためのテーブルとを備えた食器洗浄機において、
前記洗浄室を画成する筐体には、洗浄室を開放することができるよう水平方向にスライド可能なスライド扉が設けられ、該スライド扉を開放する際に、スライド扉下端に設けられた摺接部が前記テーブルの上面と摺接するようにしたことを特徴とする食器洗浄機。
【発明の詳細な説明】
【技術分野】
【０００１】
この発明は、食器を収納したラックを搬入側のテーブルから洗浄室に搬入し、洗浄を行った後、搬出口から搬出側のテーブルに送り出すようにした食器洗浄機に関するものである。
【背景技術】
【０００２】
従来、食器を収納したラックを搬入側のテーブルから洗浄室に搬入し、洗浄を行った後、搬出口から搬出側のテーブルに送り出すように構成された食器洗浄機として、特許文献１のようにコンベア等の搬送装置を用いて食器を収納したラックを順次搬送して洗浄する食器洗浄機が使用されている。
【０００３】
このようなコンベアタイプの食器洗浄機を概略的に説明すると、図４に示す如く、食器洗浄機１における洗浄機本体２の左側には、汚れた食器３を収容したラック４を載せるためのソイルドテーブル５が設置され、洗浄機本体２の右側には、洗浄後の食器３を収容したラック４を載せるためのクリーンテーブル６が設置されている。そして、ラック４は、洗浄機本体２の筐体７内に設けられた洗浄室１０内に搬入口１２から搬入され、洗浄室１０内に配置された図示しないコンベアによって搬出口１３に向けて搬送される。洗浄室１０の搬入口１２と搬出口１３には、開口を塞ぐようにカーテンが配置されている。ラック４は、洗浄室１０内を搬送される間に、洗浄室１０内の所定箇所に配置された図示しない洗浄ノズルとすすぎノズルによって、洗浄とすすぎが行われるようになっている。洗浄とすすぎが行われたラック４は、洗浄室１０内からコンベアによってスライド移動され、クリーンテーブル６上に搬出される。搬出されたラック４は、次々と搬出されるラックに押される形でクリーンテーブル６上をスライド移動し、クリーンテーブル６に配置された図示しないラック検知装置により、クリーンテーブル６上にラックが満載されたことを検出するようになっている。また、ソイルドテーブル５及びクリーンテーブル６には、ラック４がテーブル上から落下しないようにテーブルの周縁にカマチ１４が設けられており、背面には、後方への飛水を防止するための立て板１５が設けられている。
【０００４】
洗浄機本体２には、ステンレス製の筐体７の前面に開閉扉９が設けられ、この開閉扉９を上方に開放すれば洗浄室１０内に使用者の手が届くようになっており、洗浄室１０内に配置されたフィルター等のメンテナンスを行うことができるようになっている。しかしながら上記のような開閉扉９では、開閉扉９を開放してできた開口から洗浄室１０内に身を乗り出してメンテナンスを行うため、洗浄室１０内の隅部分へ手が届き難く作業性が悪いという欠点があった。そこで特許文献２に示すように、洗浄室を覆う覆枠を水平方向に摺動自在にすることで洗浄室を開放可能にし、メンテナンス性を向上させたものがある。
【特許文献１】特開２００１−１１２６９３号公報
【特許文献２】実開昭５８−１７１６６７号公報
【発明の開示】
【発明が解決しようとする課題】
【０００５】
しかしながら、前記特許文献２の食器洗浄機は、洗浄室の搬入口と搬出口から突出して形成される固定機函の上面に覆枠を摺接させることでスライド可能に構成しているため、特許文献１のように洗浄室の搬入口と搬出口に隣接してテーブルを配置したものにおいては、洗浄機本体の左右側面から突出してスライドさせた扉を上手く支えることができず、スライド扉を採用することができなかった。
【０００６】
すなわち本発明は、前述した従来の技術に内在している前記課題に鑑み、これを好適に解決するべく提案されたものであって、洗浄室の搬入口又は搬出口に隣接してテーブルを配置したものにおいてもスライド扉を採用することができ、メンテナンス性を向上させた食器洗浄機を提供することを目的とする。
【課題を解決するための手段】
【０００７】
前記課題を克服し、所期の目的を好適に達成するため、本発明に係る食器洗浄機は、
食器を収納したラックを搬入する搬入口と、搬入されたラックを洗浄する洗浄室と、洗浄後のラックを搬出する搬出口と、
前記搬入口又は搬出口に隣接して配置され、ラックを搬入又は搬出するためのテーブルとを備え、
前記洗浄室を画成する筐体には、洗浄室を開放することができるよう水平方向にスライド可能なスライド扉が設けられ、該スライド扉を開放する際に、スライド扉下端に設けられた摺接部が前記テーブルの上面と摺接するようにしたことを特徴とする。
【発明の効果】
【０００８】
本発明に係る食器洗浄機によれば、洗浄室の搬入口又は搬出口に隣接してテーブルを配置したものにおいても水平方向に移動するスライド扉を採用することができ、メンテナンス性を向上させることができる。
【発明を実施するための最良の形態】
【０００９】
次に、本発明に係る食器洗浄機につき、好適な実施例を挙げて、図１及び図２を参照しながら以下説明する。なお、食器洗浄機における基本的な構成及び配置関係は前述した図４と同様であるので詳細な説明は省略し、発明に係わる部分について主に説明する。また、説明における前後左右の方向については、図１の紙面手前側を「前方」、紙面裏側を「後方」、紙面の左右をそのまま「左右」とする。
【実施例】
【００１０】
図１及び図２に示すように、本発明に係る食器洗浄機２０は、筐体２３の前面から上面の前半分にかけて断面Ｌ形のスライド扉３０が設けられている。スライド扉３０は、筐体２３の左右方向の略中心部で左扉３１と右扉３２に別れており、把手３３によって左扉３１は左方向に、右扉３２は右方向にスライド可能になっている。そして、この左扉３１と右扉３２を左右にスライドさせることで洗浄室１０を開放可能となっており、食器３を収納したラック４を搬送するラックレール２４や図示しない洗浄ノズル等のメンテナンス、洗浄水タンク２５に設けられたフィルター２６の脱着等を行うことができるようになっている。スライド扉３０を閉じると、スライド扉３０は筐体２３と共に洗浄室１０を画成する。
【００１１】
次に、スライド扉３０のスライド構造について詳細に説明する。左扉３１と右扉３２における上面部の後端には上部摺接部３４が設けられ、筐体２３の前端には前記上部摺接部３４に対応して上部レール部５２が設けられている。また、左扉３１と右扉３２における前面部の下端には下部摺接部４４が設けられ、洗浄機本体２２の前面側上端には前記下部摺接部４４に対応して下部レール部６２が設けられている。なお、左扉３１と右扉３２は左右対称形状であるため、以下では左扉３１について主に説明し、右扉３２の説明は省略する。
【００１２】
上部摺接部３４は、左扉３１の上面部後端から垂下する垂下部３５と、垂下部３５の下端部から前方へ突出する摺接部３６と、摺接部３６の下面に取り付けられ、摺動性に優れた樹脂部材３７とから成り立っており、左扉３１の横幅寸法と略同寸法で横方向に延在して設けられている。上部レール部５２は、筐体２３の前端から垂下する垂下部５３と、垂下部５３の下端部から前方へ突出する摺接部５４と、摺接部５４の前端から上方へ所定寸法立ち上がった立上り部５５とから成り立っており、これにより上面が開放した溝５６が形成されている。更に、上部レール部５２は、筐体２３の左右側面からわずかに引っ込んだ寸法で横方向に延在して設けられている。また、溝５６の左右端面は開口しており溝５６の延在方向に開放されている。
【００１３】
下部摺接部４４は、左扉３１の前面部下端から後方へ突出する摺接部４５と、摺接部４５の後端部から垂下する垂下部４６と、摺接部４５の下面に取り付けられ、摺動性に優れた樹脂部材４７と、垂下部４６の背面に取り付けられ、摺動性に優れた樹脂部材４８とから成り立っており、左扉３１の横幅寸法と略同寸法で横方向に延在して設けられている。下部レール部６２は、洗浄水タンク２５の前面側上端部に設けられた段部６３と、段部６３の上端から前方へ突出する摺接部６４と、摺接部６４の前端部から垂下して、洗浄機本体２２の前面板上端に形成された受部７０と接合される垂下部６６と、段部６３の背面側に設けられ、段部６３との間に上面が開放した溝６７を形成する背面板６８とから成り立っている。更に、下部レール部６２は、洗浄機本体２２の左右側面から所定寸法引っ込んだ寸法で横方向に延在して設けられることで、下部レール部６２の側面と、左扉３１の下面と、洗浄機本体２２における前面板の上面とによって凹部７１が設けられている。また、溝６７の左右端面は開口しており溝６７の延在方向に開放されている。なお、樹脂部材３７、４７、４８はポリアセタール樹脂によって成形され、スライド扉３０及び上下レール部５２、６２はステンレス等の板金によって成形される。
【００１４】
以上のように構成されたスライド扉３０は、上部摺接部３４を上部レール部５２の溝５６内に配設し、下部摺接部４４の垂下部４６及び樹脂部材４８を下部レール部６２の溝６７内に配設することで取り付けられる。スライド扉３０の上部は、摺接部３６の下面に取り付けられた樹脂部材３７の下面を、上部レール部５２における摺接部５４の上面で受けることで支持され、スライド扉３０の下部は、摺接部４５の下面に取り付けられた樹脂部材４７の下面を、下部レール部６２における摺接部６４の上面で受けることで支持される。以上のように、スライド扉３０に取り付けられた各樹脂部材３７、４７、４８が、上下レール部の対応する箇所と摺接することで、スライド扉３０はスライド自在に支持されるようになっている。また、上部摺接部３４における摺接部３６と樹脂部材３７の前後寸法を、溝５６の前後寸法よりもわずかに短くすることにより、垂下部５３と立上り部５５とでスライド扉３０上部の前後への移動を規制している。同様に、下部摺接部４４における垂下部４６と樹脂部材４８とを合わせた前後寸法を、溝６７の前後寸法よりもわずかに短くすることにより、段部６３と背面板６８とでスライド扉３０下部の前後への移動を規制している。なお、図２に示すように、筐体２３の強度を確保するため洗浄室１０内の適宜位置には、上部レール部５２の背面と洗浄水タンク２５の前面側上端部とを接続する支柱７２が配置されている。また、左扉３１と右扉３２におけるそれぞれが対向する側面には、左扉３１と右扉３２を閉じたときに洗浄中の洗浄水が外部に漏れないように、パッキン等の密封部材（図示せず）が取り付けられた接着面７３が設けられている。
【００１５】
次に、食器洗浄機２０の搬入口と搬出口に隣接して配置されたソイルドテーブル７５とクリーンテーブル７６について説明する。なお、ソイルドテーブル７５とクリーンテーブル７６における発明に関する部分は同様な構造となっているため、ソイルドテーブル７５の説明は省略し、クリーンテーブル７６について主に説明する。また、図１におけるクリーンテーブル７６の右端は、切り欠いた断面で示してある。
【００１６】
クリーンテーブル７６におけるテーブル部７９の周縁には、上方へ突出したカマチ８０が設けられている。このカマチ８０は、前記凹部７１に嵌合可能な寸法で形成されており、図１に示すように凹部７１に嵌合したときに、前面部８１は下部レール部６２における垂下部６６の前面と面一となり、上面部８２は摺接部６４の上面と面一となり、背面部８３は段部６３における縦板の背面と面一となるようになっている。これにより、右扉３２を右方向へスライドさせると、下部摺接部４４における樹脂部材４７の下面が摺接部６４の上面と摺接しつつスライド移動し、そのまま連設されたカマチ８０の上面部８２上を摺動可能とすることで右扉３２をスライド自在に支持できるようになっている。このとき、垂下部４６及び樹脂部材４８は、カマチ８０の背面側をスライド移動することで右扉３２の前面側への移動が規制される。
【００１７】
以上のように、実施例の食器洗浄機によれば、スライド扉３０を洗浄機本体２２の左右側面から突出させて開放する際に、スライド扉３０の下端に設けられた摺接部が、隣接して設けられたテーブルの上面と摺接することでスライド扉３０が支持案内されるので、洗浄室１０の搬入口又は搬出口に隣接してテーブルを配置したものにおいてもスライド扉３０を採用することができ、メンテナンス性を向上させることができる。また、カマチ８０における上面部８２と、下部レール部６２における摺接部６４の上面とを面一にして連設することで、スライド扉３０のスムーズな開閉が実現できた。また、摺接部に配設される接触部材として摺動性に優れた樹脂部材を採用したので、ローラー等の回転機構を持つ部品とは違いスライド扉３０が動き過ぎずスムーズな動きとなり、部品の破損も少なくコストを削減できる。更に、スライド扉３０をＬ形にすることで上面も開放可能としたので、湯気や臭いが抜けやすく、洗浄室内部も見やすくなった。また、開口が大きくなったためフィルターの脱着等のメンテナンスも行いやすくなり、メンテナンス中に天井から水滴が降りかかることも無くなった。スライド扉３０を左扉３１と右扉３２に別けたので、開閉が軽くなり、都合の良い方だけを任意の幅だけ開くこともできる。
【００１８】
〔変更例〕
本発明では、前述の実施例に限定されず、以下の如く変更することも可能である。
(１)図３に示すように、スライド扉の前面上端部に傾斜部９０を設けてもよい。
(２)摺接部に配設される接触部材として摺動性に優れた樹脂部材を採用したが、摺動性に優れた部材であれば樹脂部材でなくともよい。
(３)下部レール部６２の溝６７内における左右方向の中心部にストッパを設けることで、左扉３１と右扉３２が中央部分でしっかりと閉まるようにしてもよい。
(４)左扉３１と右扉３２が開いたことを検知する扉スイッチを設け、運転中に扉が開いたことを検知すると食器洗浄機の運転を停止する機能を設けてもよい。
(５)スライド扉３０は、断面Ｌ形としたが、上面には設けず筐体２３の前面側のみに設けてもよい。また、筐体２３の上面後半分と背面側もスライドできるようにし、筐体２３全体をスライドさせて開閉できるようにしてもよい。
(６)スライド扉３０は、左扉３１と右扉３２に別けたが、一体の扉としてスライド可能に設けてもよい。
(７)スライド扉３０は、テーブルのカマチ８０の上面を摺動するようにしたが、カマチを設けないテーブルにおいても本発明は実施できる。この場合、テーブルの上面を直接摺動するように、テーブルの上面と下部レール部６２の上面を面一とする。このとき、下部レール部６２の垂下部４６は無くすか、テーブルの上面に垂下部４６が摺動する溝を形成するようにする。
【図面の簡単な説明】
【００１９】
【図１】実施例に係る食器洗浄機の斜視図である。
【図２】実施例に係る食器洗浄機の断面図である。
【図３】変更例に係る食器洗浄機の斜視図である。
【図４】従来の食器洗浄機の概略構成を示す斜視図である。
【符号の説明】
【００２０】
１０  洗浄室，２０  食器洗浄機，２２  洗浄機本体，２３  筐体，３０  スライド扉，３４  上部摺接部，４４  下部摺接部，５２  上部レール部，６２  下部レール部，７５  ソイルドテーブル，７６  クリーンテーブル，８０  カマチ。
【図１】
2009153745.tif 000003
【図２】
2009153745.tif 000004
【図３】
2009153745.tif 000005
【図４】
2009153745.tif 000006